(57)【特許請求の範囲】
【請求項１】
被処理原水をイオン交換装置で処理して得られた無イオン水をケイ酸カルシウムを主とするセラミックス触媒又は遠赤外線照射により活性化して活性化原水を得る工程と、前記活性化原水を被処理原水で１０００倍ないし１億倍に希釈して被処理水を活性化する工程を順次行うことを特徴とした、活性水の製造方法
【請求項２】
被処理原水をイオン交換装置で処理して得られた無イオン水をケイ酸カルシウムを主とするセラミックス触媒又は遠赤外線照射により活性化する第１工程と、前記活性化した無イオン水を活性化処理していない無イオン水で所定の倍率に希釈して無イオン水全体を活性化して活性化原水を得る第２工程と、前記活性化原水を被処理水で所定の倍率に希釈して被処理水を活性化する第３工程を順次行い、前記第１工程で活性化された無イオン水を１０００倍ないし１億倍に希釈することを特徴とした、活性水の製造方法
【請求項３】
被処理水の導管に被処理水の一部を分流させる分岐管の基端が接続され、前記分岐管には被処理水を無イオン水とするためのイオン交換装置が配設され、前記分岐管のイオン交換機より下流側に無イオン水の一部を分流させる再分岐管の基端が接続され、前記再分岐管には無イオン水を活性化させるケイ酸カルシウム系セラミックス触媒が配設され、前記再分岐管の先端は前記分岐管に接続され、前記分岐管の先端は前記導管に接続され、前記ケイ酸カルシウム触媒により活性化された水を分岐管内の無イオン水により希釈した後、導管内の被処理水により希釈するようにした、活性水の製造装置
【発明の詳細な説明】
【０００１】
【発明の属する技術分野】
この発明は活性水を製造する方法及び装置に関するものである。
【０００２】
【従来の技術】
従来水を活性化する方法としては、触媒を用いる方法、天然の岩石などからミネラル分を溶出させる方法、赤外線や紫外線などの光を用いる方法など種々提案され、実用化されている。
しかしながら、従来の方法はいずれも被処理水全量に対して、触媒に接触させたり、光を照射するなどの処理を行っている。
【０００３】
【発明が解決しようとする課題】
被処理水の全量を触媒に接触させるなどする従来の方法においては、処理時間の短縮が困難であり、装置も大型とならざるを得ない。また、触媒の寿命も短くなり赤外線などの照射量も多いので、製造コストの低下も難しいなどの問題点があった。
【０００４】
しかるに出願人は、無イオン状態にした無イオン水を活性化させると、水道水などをそのまま活性化させる場合と比較して活性化効果が高いことを発見した。そこで、この活性化効果の高い活性水を活性化原水として利用することにより、少量の水を処理することによって多量の活性水を得ようとするものとして、この発明に至ったものである。
【０００５】
この発明の製造方法は、被処理原水をイオン交換装置で処理して得られた無イオン水をケイ酸カルシウムを主とするセラミックス触媒又は遠赤外線照射により活性化して活性化原水を得、次いで前記活性化原水を被処理原水で１０００倍ないし１億倍に希釈して水全体を活性化することにより、活性水を製造するものである（請求項１）。請求項２の発明は、被処理原水をイオン交換装置で処理して得られた無イオン水をケイ酸カルシウムを主とするセラミックス触媒又は遠赤外線照射により活性化する第１工程と、前記活性化した無イオン水を活性化処理していない無イオン水で所定の倍率に希釈して無イオン水全体を活性化して活性化原水を得る第２工程と、前記活性化原水を被処理水で所定の倍率に希釈して被処理水を活性化する第３工程を順次行い、前記第１工程で活性化された無イオン水を１０００倍ないし１億倍に希釈して活性水を製造するものである。
【０００６】
請求項３は製造装置の発明であり、請求項２の方法を実施するためのものである。すなわち、被処理原水の導管に被処理原水の一部を分流させる分岐管の基端を接続し、前記分岐管には被処理原水を無イオン水とするためのイオン交換装置を配設し、前記分岐管のイオン交換装置より下流側に無イオン水の一部を分流させる再分岐管の基端を接続し、前記再分岐管には無イオン水を活性化させるケイ酸カルシウム系セラミックス触媒を配設し、前記再分岐管の先端は前記分岐管に接続し、前記分岐管の先端は前記導管に接続してあり、前記ケイ酸カルシウム触媒により活性化された水を分岐管内の無イオン水により希釈した後、導管内の被処理水により希釈するようにした構成としてある。
【０００７】
【作用】
この発明において、無イオン水を活性化させると活性化効果の大きい活性化原水が得られる。そしてこの活性化原水を被処理原水で希釈すると、活性化原水の活性化効果が被処理原水に及び、被処理原水も活性化される。
前記活性化原水の希釈倍率は１００万倍以上となる場合もある。このような希釈倍率を採用した場合、自動化装置において被処理原水に混合する活性化原水が極めて微量となるので、混合量の操作が困難となりやすい。
そこで、請求項２の発明のように、活性化させた無イオン水を活性化処理していない無イオン水で希釈したものを活性化原水とし、これを被処理原水に混合することとすると、活性化原水の希釈倍率が低下し、混合量の操作が容易になる。
【０００８】
この発明の装置においては、分岐管の無イオン化手段によって得られた無イオン水の一部が再分岐管へ流入し、ここで活性化処理を受けた後に分岐管に戻り残余の無イオン水と混合され、無イオン水全量が活性化し活性化原水となる。次いで活性化原水が分岐管から被処理原水が流れる導管へ流入することにより、活性化原水が被処理原水と混合し、被処理原水が活性化される。
【０００９】
【発明の実施の形態】
図１はこの発明装置の実施の形態を示す回路図である。被処理原水が流れる導管１に分岐管２の基端が接続してあり、分岐管２には被処理原水を無イオン化するためのイオン交換装置３が配置してある。前記分岐管２には再分岐管４の基端が接続してあり、再分岐管４には前記イオン交換装置で無イオン化された無イオン水を活性化するケイ酸カルシウムを主とするセラミックス触媒５が配置してある。前記分岐管２及び再分岐管４の先端は貯留槽６に接続してある。この貯留槽６の排水管７は、ポンプ８を介して前記導管１に接続してあり、導管１の下流側には混合槽９が設置してある。
【００１０】
上記において、被処理原水の一部（例えば１／１００万）が分岐管２へ流入してイオン交換装置３で無イオン化される。この無イオン水の一部（例えば１／１０）が再分岐管４へ流入して触媒５によって活性化される。この活性化された無イオン水と、再分岐管４を経由しない活性化されていない無イオン水は、貯留槽６で混合され、活性化された無イオン水の作用によって未活性の無イオン水が活性化され、活性化原水が得られる。
導管１内で、前記被処理原水と活性化原水とが混合し、被処理原水が活性化されるが、混合槽１０内で撹拌混合されることによって被処理水全体の活性化レベルが均一化される。
【００１１】
図２ないし図５は別の実施形態を示すものである。
図２は、導管１から分岐管２を分岐させ、分岐管２からイオン交換装置３を経て分岐した再分岐管４に触媒５を介在させ、再分岐管４の先端を分岐管２へ接続したもので、上記実施形態に示した貯留槽６は設けていない。
図３は、予め用意された無イオン水１０を触媒５で活性化した後導管１へ導くようにしたものである。
図４は、導管１から分岐した分岐管２にイオン交換装置３と触媒５とを直列に配置したもので、再分岐管は設けていない。
図５は、導管１に供給する被処理原水と、分岐管２に供給する被処理原水との供給源を別にしたものである。図においてはイオン交換装置３と触媒５とを直列に配置した構造を示しているが、図１、図２のように並列に配置することもできる。
【００１２】
【実施例】
触媒として表１に示す組成のケイ酸カルシウム系セラミックスを使用し、無イオン水を触媒に接触させて活性化し、この活性化した無イオン水を１：２５０の比率で未活性の無イオン水と混合し、活性化原水を得た。これを水道水で希釈して活性水を得た。
【表１】
0003856520.tif 000002
【００１３】
このとき、希釈倍率に対する波動数値変化は次の通りであった。
（１）腎臓コードで希釈水を測定したところ、図６に示すグラフのような波動変化が認められた。
【００１４】
（２）免疫機能コードで希釈水を測定したところ、図７に示すグラフのような波動変化が認められた。
【グラフ２】
これらの結果から、活性化原水の１０００倍ないし１億倍の活性水が得られることが認められた（波動値は活性化レベルの指標となることが知られている）。
【００１５】
この発明によって得た活性水と水道水で処理した大根のつまの一般生菌数及び大腸菌群数の増加について検査を行ったところ、表２の結果が得られた。（大根は、カットした後で活性水及び水道水に１０分間浸し脱水したものである。）
【表２】
0003856520.tif 000003
【００１６】
上記のように、細菌数の経時変化試験の結果はこの発明による活性水を使用したサンプルの方が低い値を示しており、水道水に比べて菌数の増加傾向が見られないことからも、有効な鮮度保持機能を有することがわかる。
【００１７】
【発明の効果】
この発明によれば、無イオン化水を活性化し、これを被処理原水で希釈することによって、全量処理した物と同等の活性水を得ることができる。したがって、連続大量処理が可能となり、大型の処理槽も不要である。そのため、装置の小型化が可能となり、また触媒など処理のための消耗品の寿命も長く、低コストで活性水を製造することができる。
【図面の簡単な説明】
【図１】  この発明の実施の形態を示す説明図である。
【図２】  同じく貯留槽を省略した実施の形態を示す説明図である。
【図３】  同じく予め用意された無イオン水を利用する実施の形態の説明図である。
【図４】  同じくイオン交換装置と触媒を直列に配置した実施の形態の説明図である。
【図５】  同じく無イオン化される原水と希釈する原水とを別にした実施の形態の説明図である。
【図６】  腎臓コードによる希釈倍率に対する波動数値変化を示すグラフである。
【図７】  免疫コードによる希釈倍率に対する波動数値変化を示すグラフである。
【符号の説明】
１      導管
２      分岐管
３      イオン交換装置
４      再分岐管
５      触媒
６      貯留槽
７      排水管
８      ポンプ
９      混合槽
１０    無イオン水
【発明の効果】
【図１】
0003856520.tif 000004
【図２】
0003856520.tif 000005
【図３】
0003856520.tif 000006
【図４】
0003856520.tif 000007
【図５】
0003856520.tif 000008
【図６】
0003856520.tif 000009
【図７】
0003856520.tif 000010